Podtech/llm-jp-corpus-v4-ja_patent huggingface dataset:
(57)【要約】【課題】安価で、水中でも流れず、かつ土壌とも混合の容易な微生物担持担体を提供する。【解決手段】パルプスラッジを乾留して得られる多孔質材を用いる微生物担持担体、及び他の態様では、珪藻土から得られる多孔質材を用いる微生物担持担体である。【選択図】　なし【特許請求の範囲】
【請求項１】
パルプスラッジを乾留して得られる多孔質材を用いることを特徴とする微生物担持担体。
【請求項２】
珪藻土から得られる多孔質材を用いることを特徴とする微生物担持担体。
【発明の詳細な説明】
【０００１】
【発明の属する技術分野】
本発明は、微生物担持担体に関するものである。微生物担持担体は、生ごみ処理装置用、生物学的分解を行なうグリストラップ用、土壌中の有機分（油分）分解用等があり、担体に微生物が担持されたものである。
【０００２】
【従来の技術】
微生物担持担体を用いるものの１例として生ごみ処理装置を例にとって説明する。これは、微生物によって有機物を分解し、無害なガスや肥料等にするもので、最近家庭用として多量に市販されてきている。この装置は、処理容器（大きい物でも１ｍ×１ｍ×１ｍ程度）に、微生物が担持された担体が入ったものである。ここに生ごみを入れ、攪拌すればよい。自動攪拌装置や温度計等を備えたものもある。
【０００３】
これだけでごみの有機物を餌として微生物が増殖し、さらに有機物を分解するものである。ごみ全体の容積が小さくなるばかりか、無害化し、且つ植物のよい肥料になる。
【０００４】
よって、生ごみは最終的には土に返ることとなる。よって、ごみ焼却による種々の経費（収集、燃焼等）が軽減でき、且つ埋め立て地も軽減できる。このため、政府も推奨しているものである。
【０００５】
また、生物学的分解を行なうグリストラップは、水槽タイプのグリストラップに微生物を溶かし込んだ溶液を加えて、そこで微生物に油分の分解等を行なわせるものである。
【０００６】
土壌中の有機分（油分）分解は、ガソリンスタンドの跡地のような油分が染み込んだ土壌に微生物を混合して油分を分解させようというものである。これは、おがくずを担体として用いるもので、それを地表に散布して、バックホー等で攪拌混合する。
【０００７】
更に、有機物質（油分）を含有した土壌から有機分を除去する方法として、土壌に微生物を混合し、その微生物によって分解させる方法がある。この方法は、微生物担持担体を土壌といかに効率よく混合するかによって分解性能が決まると言っても過言ではない。
【０００８】
【発明が解決しようとする課題】
しかし、従来の生ごみ処理装置でも次のような欠点があった。
まず、第１に、微生物用単体としておがくず（鋸くず）や木材チップを用いている。しかし、このような木材系のものは製造コストが高く、また、形がくずれやすく、それらが凝集して酸素不足になり嫌気性雰囲気になり腐敗菌が多くなり有機物が腐敗してしまうことも起こっていた。
【０００９】
また、従来の生物学的分解を行なうグリストラップでは、溶液タイプのものを使用していたため、どうしても次工程に流れてしまい効率が悪かった。
更に、土壌に混合する方法では、担体としておがくずを使用しているため、比重が小さく、均一混合が非常に難しい。
【００１０】
【課題を解決するための手段】
以上の現状に鑑み本発明者は鋭意研究の結果、本発明微生物担持担体を完成したものであり、その特徴とするところは、パルプスラッジを乾留して得られる多孔質材を用いる点にあり、他の態様では、珪藻土を用いる点にある。
【００１１】
本発明微生物担持担体は、どのような用途に使用してもよく、特に上記した３つの用途には最適である。
生ごみ処理装置とは、生ごみを微生物で分解するものであればよく、家庭用でも工業用でもよく、また大きさも自由である。要するに、本発明はこのような処理装置に用いる微生物担持担体の発明であり、この装置自体は特別なものである必要はない。また、グリストラップもどのようなものでもよく、流れていくのを防止するため、本発明微生物担持担体を網やメッシュに入れて、固定しておいてもよい。
更に、土壌に混合する場合は、おがくずのものと同じ方法でよい。
【００１２】
微生物は、それぞれの用途に適した通常のものでよい。
【００１３】
パルプスラッジとは、ペーパースラッジとも呼ばれるもので、古紙パルプ回収の過程で排出される廃液から分離し脱水したものである。このスラッジを脱水し、乾燥し、更に乾留して炭化させた炭化物がここでいう多孔質材である。乾燥、乾留は、ロータリーキルンで行なうのがよいが、他の燃焼炉でも可能である。
乾留の温度や時間等によって、種々の大きさのものができる。例えば、直径５〜２０ｍｍ程度の軽石のようなものである。勿論、形状や孔のサイズ等は自由である。ローターリーキルンで高温乾燥させたものを、微粉から最大サイズ（２０ｍｍ程度）まですべてをそのまま分別せずに使用することも可能である。
多孔質材の空隙率は、焼却の方法や温度によって、種々あるが２０〜５０％程度である。
【００１４】
このパルプスラッジは、従来、廃棄していたもので、焼却するか埋め立てるしかなかったものである。よって、このような無駄を省くためパルプスラッジの有効利用が叫ばれていた。
【００１５】
この多孔質材に、微生物を従来の方法で担持させたものが微生物担持担体である。よって、担持させる方法や量は自由である。微生物を水に溶かしこんで、その水溶液中に浸漬して水が落下しない程度に乾かしてもよい。また、浸漬の代わりにスプレーしてもよい。
【００１６】
次にこのパルプスラッジの乾燥物の代わりに、珪藻土を用いたものについて説明する。
珪藻土とは、珪藻の遺骸が海底、湖底などに沈積して形成されたケイ質堆積岩で、粘土、火山灰、有機物などを含む。珪藻土の化学組成は、ほとんどが二酸化ケイ素である。二酸化ケイ素が８５〜９５％程度で、ほかに鉄、アルミニウム、カルシウム、マグネシウム等を含む。
【００１７】
この珪藻土も、多孔質であり大きな気孔率を有している。ここに前記のパルプスラッジの乾燥物と同様、微生物を担持させるのである。
【００１８】
【発明の実施の形態】
実施例１は、本発明パルプスラッジの乾燥物に微生物を担持させたもので、比較例１は従来のおがくずに微生物を担持させたものである。微生物としての量は両者同一である。これを、市販の生ごみ処理装置に入れた。そこに、同一の生ごみを導入した。同一の生ごみの発生はないため、ごみではなく製造したもの（肉と野菜）を使用した。
【００１９】
実施例１は、生ごみの分解速度は比較例１とほとんど変わらなかった。しかし、担体（微生物込み）の値段は非常に安価である。
【００２０】
【発明の効果】
上記した本発明微生物用担体には次のような利点がある。
（１）　パルプスラッジは廃棄物であるため、安価であるばかりか、廃棄物の処理の有効利用にもなる。
（２）　本発明パルプスラッジの乾燥物は、焼却物であるため、腐敗菌等が付着している可能性はない。
（３）　どのような用途のものにも使用できる。
（４）　おがくず等と比較して、土壌等との混合が容易である。
(57)【要約】【課題】アンモニア臭が少なく、保存性がよくて、密度の高い芽胞を含む栄養価の高い粉末状又はフレーク状の乾燥納豆を提供する。【解決手段】納豆の栄養価を高めるための加工であって、大豆を粉末状またはフレーク状にして納豆菌を植え付け、４０〜５０℃，湿度６０〜８５％の雰囲気下で１５〜２０時間保持して通常の醗酵をせさた後、これを更に好気環境下で温風乾燥機等を利用して３５〜５０℃の温風により風乾し、湿り度を１０％以下にした乾燥加工納豆を得る。【選択図】　　なし【特許請求の範囲】
【請求項１】
大豆を粉末状又はフレーク状にして納豆菌を植え付け醗酵させた後、好気環境下で３５〜５０℃の温風により風乾し、湿り度を１０％以下とすることを特徴とする高栄養価のある納豆食品の製造方法。
【請求項２】
大豆を粉末状またはフレーク状にして納豆菌を植え付け、４０〜５０℃，湿度６０〜８５％の雰囲気下で１５〜２０時間保持して醗酵せさた後、これを好気環境下で３５〜５０℃の温風により風乾し、湿り度を１０％以下とすることを特徴とする高栄養価のある納豆食品の製造方法。
【発明の詳細な説明】
【０００１】
【発明の属する技術分野】
本発明は高栄養価のある納豆食品の製造方法に係り、詳しくは納豆菌の芽胞を濃縮し、高い栄養価を有すると共に、保存性に優れた納豆食品を製造する上記製造方法に関するものである。
【０００２】
【従来の技術】
従来より一般に食されている納豆は糸引き納豆であり、蒸煮した大豆に納豆菌を植え付け、通常、３５〜４０℃で１６〜１８時間醗酵させた後、冷却して作られており、納豆菌により大豆組織の軟化とたんぱく質のペプチドとアミノ酸への分解が起こり、消化性が向上し、旨味を生じている。
【０００３】
【発明が解決しようとする課題】
しかし、納豆は４０℃以上に余り長くおくとアンモニア臭が生じ、また納豆菌による大豆のたんぱく質分解の結果、アンモニアを生成してこれら臭気が食品として多くの人に敬遠されている実状である。
【０００４】
本発明は上述の如き実状に鑑み、これに対処すべく、特に大豆を粉末状又はフレーク状として処理することを見出すことにより納豆の栄養を損なわず、しかも納豆菌の芽胞を濃縮して栄養価を高めると共にアンモニア臭の減少を図ることを目的とするものである。
【０００５】
【課題を解決するための手段】
即ち、上記目的に適合する本発明の特徴は、基本的に大豆を粉末状又はフレーク状にして納豆菌を植え付け醗酵させた後、好気環境下で３５〜５０℃の温風により風乾し、湿り度を１０％以下にする方法にある。
【０００６】
請求項２は上記発明のより具体的な態様であり、大豆を粉末状またはフレーク状にして納豆菌を植え付け、４０〜５０℃，湿度６０〜８５％の雰囲気下で１５〜２０時間保持して醗酵せさた後、これを好気環境下で３５〜５０℃の温風により風乾し、湿り度を１０％以下にすることにある。
【０００７】
【作用】
上記本発明方法によれば、大豆を粉末状又はフレーク状にして納豆菌で醗酵させることにより原料の表面積が丸大豆に比較して拡大し、その分、納豆菌の密度を増加する。
そして、好気環境下で３５〜５０℃の温風によって風乾することにより納豆菌の芽胞が形成され易くなって、芽胞の密度を増大し、栄養価及び保存性の高い加工納豆を得る。
【０００８】
【発明の実施の形態】
以下、更に本発明の具体的な態様について説明する。
【０００９】
先ず、本発明は従来の納豆食品が丸大豆を原料としているのに対し、大豆を粉末状又はフレーク状にし、この粉末状又はフレーク状の状態のものを納豆菌で醗酵させることから始まる。
【００１０】
この大豆を粉末状又はフレーク状にするのは、表面積を増大し納豆菌の密度を増加させる共に、更に後述する納豆菌の芽胞の密度を増加し、密度の高い芽胞を含んだ納豆食品を得るのに有効であるからである。
そして、本発明の上記粉末状又はフレーク状にされた大豆は、次いで納豆菌が植え付けられ、従来と同様に醗酵されるが、発酵工程は従来と同様であってもよいが、通常、４０〜５０℃，湿度６０〜８５％の雰囲気下で１５〜２０時間、保持することによって行われる。
【００１１】
このようにして醗酵された大豆の粉末又はフレークは納豆菌の密度が従来に比し高いことは前述の通りであるが、本発明は引き続きこの醗酵された粉末状又はフレーク状のものを更に納豆菌の芽胞を形成し易い環境下、即ち好気環境下で、例えば温風乾燥機等を用いて３５〜５０℃で風乾する。
この場合、３５℃以下では風乾の効率が低くなり、また５０℃以上では分解が生じ易いので、３５〜５０℃に維持することが必要である。
また、このように風乾することは納豆菌の芽胞密度を高める上に頗る重要であり、単なる乾燥では所期する効果は得られない。
【００１２】
風乾は上述の如く温風乾燥機を用いることが最も簡単であるが、別段、温風乾燥機を用いることなく、空気を別途温めて、温風として吹き付け乾燥せしめるようにしてもよい。
なお、風乾時における温風は均一乾燥の面から可及的均一であることが好ましい。
【００１３】
しかして、上記風乾を施すことにより醗酵された粉末状又はフレーク状の納豆は湿分、即ち湿り度が少なくなり、大豆の分解を止めて芽胞に変わり、芽胞の密度を増加する。
湿り度は通常、１０％以下とするが、好ましくは５％以下である。
【００１４】
このようにして粉末状又はフレーク状の乾燥納豆を得るが、この粉末状又はフレーク状乾燥納豆はそのまま食してもよく、また他の食品にふりかけ併用してもよく、栄養価は高く、かつ保存性が良好であることから種々の用途に使用することができる。
【００１５】
【実施例】
以下、本発明による納豆製品と既存の糸引き納豆について栄養素を比較した結果を下記に示す。
先ず、試料としては本発明製品については大豆を粉末状にし、納豆菌により醗酵させた後、温風乾燥機を用いて４０℃の温風で風乾した乾燥納豆を用いた。
一方、糸引き納豆製品については市販の乾燥納豆を用いた。
そして、上記両者について主要栄養素につき夫々、１００ｇ当たりの量を抽出した。その結果は下記の通りであった。
【００１６】
【表１】
2004065032.tif 000002
【００１７】
なお、上記の本発明製品の分析は徳島県立工業技術センターに依頼して行った。
一方、糸引き納豆製品の数値は日本食品標準成分表によった。
【００１８】
上記結果より本発明納豆製品は糸引き納豆に比較し、栄養素が大巾に向上していることが分かる。
また、芽胞の密度について同じく徳島県立工業技術センターに依頼して分析を行ったところ、糸引き納豆乾燥品が１ｇ当たり８．５×１０６であったのに対し、本発明納豆製品は１ｇ当たり２．１×１０９で、栄養価が極めて大きいことが確認された。
【００１９】
【発明の効果】
本発明は以上のように大豆を粉末状又はフレーク状にして納豆菌を植え付け醗酵させた後、好気環境下で３５〜５０℃の温風により風乾し、湿り度を１０％以下とすることを特徴とするものであり、上記操作を行うことによって従来敬遠され勝ちであったアンモニア臭は少なくなり、納豆菌により生成されたオリゴ糖で腸内の乳酸菌が増加したり、納豆菌芽胞が腸内にて発芽して、悪玉菌の活動を抑制したり、生成された食物繊維も合わせて腸内を正常化したり、便秘の解消や、宿便の排出効果を促し、栄養価の高い食品を得ることができる格段の効果を有する。
(57)【要約】［課題］従来にない新しいヨーグルトやカルピスを開発したい。［解決手段］ヨーグルトやカルピスに或いはそれらの製造の適当な段階で、インスタントコーヒー或いはレギュラーコーヒーの抽出液を加えて混合し、コーヒーヨーグルト或いはコーヒーカルピスを製造して、それらを容器に詰めた、発酵乳或いは乳酸菌飲料。【選択図】なし。【特許請求の範囲】
【請求項１】
プリン状や乳状の発酵乳に或いはそれらの製造の適当な段階で、インスタントコーヒー或いはレギュラーコーヒーの抽出液を加えて混合し、コーヒー混合発酵乳を製造して、それらを容器に詰めた、コーヒーヨーグルトと呼ぶことにする、発酵乳。
【請求項２】
濃液状や乳状の乳酸菌飲料に或いはそれらの製造の適当な段階で、インスタントコーヒー或いはレギュラーコーヒーの抽出液を加えて混合し、コーヒー混合乳酸菌飲料を製造して、それらを容器に詰めた、コーヒーバチルスラクトと呼ぶことにする、乳酸菌飲料。
【発明の詳細な説明】
【０００１】
［発明の属する技術分野］
本発明は発酵乳や乳酸菌飲料の乳発酵製品に関するものである。
【０００２】
［発明が解決しようとする課題］
従来のヨーグルトやカルピスにはコーヒー味のものは存在していない。先般出願のココア味のものに続いて、コーヒー味も行けるのではないかと気付いた。
【０００３】
［課題を解決するための手段］
その本発明は「特許請求の範囲」に簡潔に述記してある。
【０００４】
［発明の効果］
本発明はココア味のものと同様多くの人に珍しがってもらえよう。
(57)【要約】【課題】室内で飼育されている犬の、フローリング床や階段の昇降の際に起こる滑り及び滑りによる怪我を防止する、犬足の滑り止め用ペンを提供する。【解決手段】マーキングペン容器（１）に天然ゴム液（２）を充填して、塗布できる状態にし、犬の足裏（８）に直接塗布してフローリング床や階段の昇降の際に起こる、犬の滑りによる怪我を防止する。【選択図】　　図３
2004065227.tif 000002
【特許請求の範囲】
【請求項１】
マーキングペン容器（１）に水溶性天然ゴム液（２）を充填し、犬の足裏（８）に塗布する事で、室内犬の足の滑り及び滑りによる怪我防止を目的とした、犬足の滑り止め用ペン。
【請求項２】
犬足の滑り止め用に水溶性天然ゴム液（２）を使用する。
【発明の詳細な説明】
【０００１】
【発明の属する技術分野】
この発明は、室内で犬を飼育する場合、フローリング床や階段の昇降等で犬が足を滑らせる事によって起こる怪我を防止するために、水溶性天然ゴム液をマーキングペン容器に充填し、犬の足裏に塗布する事で、犬の怪我防止に利用する技術に関するものである。
【０００２】
【従来の技術】
犬を室内で飼育する場合は、足が滑らないように床のワックスがけを控えたり、絨毯を敷くしかなかった。
【０００３】
【発明が解決しようとする課題】
これは次のような欠点があった。
（イ）　犬がフローリング床・階段等で足を滑らせて怪我をし、歩けなくなる恐れがあった。
（ロ）　滑りによる足の怪我をして歩けなくなった犬の世話に、時間と労力がかかってしまった。
（ハ）　滑らないように絨毯をひくと、犬の糞尿や毛の処理に手間どってしまった。
（二）　犬が滑らないように床に爪をたててしまい、床が傷だらけになってしまった。
本発明はこれらの欠点を解決するためになされたものである。
【０００４】
【課題を解決するための手段】
マーキングペン容器（１）に水溶性天然ゴム液（２）を充填し、犬の足裏（８）に塗布できる状態にする。
本発明は、以上の構成によりなる犬足の滑り止め用ペンである。
【０００５】
【発明の実施の形態】
以下、本発明の実施の形態について説明する。
マーキングペン容器本体（１）に水溶性天然ゴム液（２）を充填し、バルブ（３）をマーキングペン容器本体（１）に取付け、バルブ（３）の先にスポンジリング（４）を乗せてネック（５）を被せ、ネック（５）にペン先（６）を差込み、キャップ（７）をしてマーキングペンとして組立て、塗布作業をできる状態にする。
本発明は以上のような構造で、これを使用する時は犬の足裏（８）に直接塗布する。
【０００６】
【発明の効果】
本発明を犬の足裏に塗る事で、室内犬のフローリング床・階段等での足の滑り及び滑りによる怪我を防止する。
【図面の簡単な説明】
【図１】本発明の斜視図である。
【図２】本発明の分解斜視図である。
【図３】本発明の使用状態を示す斜視図である。
【符号の説明】
１　マーキングペン容器本体
２　水溶性天然ゴム液
３　バルブ
４　スポンジリング
５　ネック
６　ペン先
７　キャップ
８　犬の足
【図１】
2004065227.tif 000003
【図２】
2004065227.tif 000004
【図３】
2004065227.tif 000005
(57)【要約】【課題】植木鉢への適切な水を植物の根元に給水を目的とする【構成】自然のまさ目木取りの細い木片を利用この木片が湿気を帯びると伸びるそして木片が乾燥すると縮む特性を利用、埋設ケース内で二本の毛細管現象で水を吸収する水上げ繊維テープに対面、接触する板バネの先端に固定した給水繊維テープに給水されているが植木鉢内の土の水分が多くなると木片に湿気が帯び始まると木片が板バネを押すと給水が止まる又土の水分が乾き始まると木片も乾燥し縮まると又給水繊維テープに水分が吸収されて来る適切な水の供給装置。【選択図】　　図１
2004065228.tif 000002
【特許請求の範囲】
【請求項１】
１の植木鉢の底部に２の埋設ケースを設置する、埋設ケース側面や上面の要所要所に３の通気口を開ける。埋設ケース中央部にまさ目木取りの７の木片を設置する。接点機能の４の板バネの先端に５の給水繊維テープを固定するこの部分に対面接触する６の水上げ繊維テープを固定する。又このテープの一方は植木鉢の底の穴から出し水を張った８の水槽又は受皿等に水を入れ使用する。
【請求項２】
請求項１記載の植木鉢の中の植物の土とともに植木鉢の底に施設した埋設ケースに装着した水上げ繊維テープは毛細管現象で常にテープ全体に水を吸いこまれている。これに接触する板バネの先端に固定した給水繊維テープも毛細管現象で水が通い直接植物の根元に水を供給する。又、植木鉢の土の水分が多くなると埋設ケース側面に開けた通気口から木片に湿気を帯び始まる事により木片が拡張し伸びると接点機構の板バネの先端に固定した給水繊維テープと接触している水上げ繊維テープが離れると給水繊維テープへの給水が止まる。そして土の水分が乾き始まると同時に木片も乾燥し木片全体が縮むと再度水上げ繊維テープに給水繊維テープが接触すると又給水が始まる、まさ目木片がもつ木質の中で水を含むと伸び又乾燥させると縮む自然木片をスイッチ機構に利用した植木鉢植物根腐れ防止木片水分調整装置である。
【発明の詳細な説明】
【０００１】
【産業上の利用分野】
本発明は植木鉢に植えた植物の根元部分に直接に給水繊維テープで給水をする水分調整給水装置に関するものである。
【０００２】
【従来の技術】
従来、観葉植物、草花等多種多様な植物を植木鉢で育てる、室内、屋外にて毎日のようにジョウロ等で水を給水するが周辺を水で汚すことも度々ある等欠点もあった。又水のやり過ぎが原因で植物の根腐れがおきている。又旅行等で家を留守にした時に水をやれずに植物を枯らすことが多かった。
【０００３】
【発明が解決しようとする課題】
しかし多くの植物を育てる植木鉢への水やりはジョウロ等で行うため水分調整が出来ず従来の方法では不注意で水をやり過ぎ根腐れ等、水やり等を忘れて乾燥で大切な植物を枯らすことがたびたびあり又旅行等で水がやれず植物を枯らすことが多かった。
【０００４】
そこでこのような水のやり過ぎで根腐れ又旅行等で留守等で枯らしてしまう大切な植木鉢の植物類に自動的に給水する装置等の技術が多く提案されている。
【０００５】
【課題を解決するため手段】
植木鉢の植物に自動的に水を供給する技術としては貯水槽から水を毛細管現象を利用し吸い上げる技術又貯水槽から配管を利用し電動ポンプ等を介し給水する技術が知られている。
【０００６】
【発明の実施の形態】
この発明の植木鉢植物根腐れ防止木片水分調整装置は近代的な電気、電動ポンプ等は一切利用しない。この装置と方法は、埋設ケース内のまさ目木取りをした小さな木片を利用するものである。自然の木片が湿気を帯びると拡張し伸びる。又木片が乾燥すると縮む特性を利用するものである、埋設ケース内で水上げ繊維テープの一端が固定されもう一方が水に浸されている。又もう一本の給水繊維テープは接点機構の板バネの先端に固定されこの末端が植物の根元周辺に設置する。
【０００７】
【実施例】
以下この発明の実施例を図面に基づいて説明する。第１図の１の植木鉢の底部に施設する２の埋設ケースの側面や上面の要所要所に小さい３の通気口を開ける埋設ケース中央部に細いまさ目木取りの７の木片を設置する。接点機能の４の板バネの先端に５の給水繊維テープを固定する又この部分に対面接接触する６の水上げ繊維テープを固定する又このテープの一方は植木鉢の底の穴から出し水を張った８の水槽又は受皿に水を入れ使用するものである。
【発明の効果】
本発明は以上に説明したように構成されているので、以下に記載するような効果を奏する。自然の木片を利用しさらに簡単な装置で安価に提供しようとするものである。
【図面の簡単な説明】
第１図は植木鉢の底に設置した埋設ケースと水槽等を示す断面図である。
第２図は植木鉢の底面に置いた埋設ケース内の木片が伸び板バネを押し上げた所を示す平面図及び断面図である。
第３図は植木鉢の底面に置いた埋設ケース内の木片が縮み水上げ繊維テープに給水繊維テープが接解した状態を示す平面図及び断面図である。
【符号の説明】
１．植木鉢
２．埋設ケース
３．通気口
４．板バネ
５．給水繊維テープ
６．水上げ繊維テープ
７．木片
８．水槽
【図１】
2004065228.tif 000003
【図２】
2004065228.tif 000004
【図３】
2004065228.tif 000005
(57)【要約】【課題】この発明は、自動給水機能を持つ花瓶に関するものである。【解決手段】花瓶１の側周部を密閉二重構造の貯水部２とし、その底面に給水するための給水口４を設け、その給水口は着脱自在の密閉蓋４−１によって給水時以外は密閉されている。また、貯水部の下方部かつ花瓶の内部に出水孔３を設ける。花が消費した水分だけ貯水部から新鮮な水の補給がなされるため、花瓶内の水位は大気圧の作用により、常にほぼ定水位に保たれる。【選択図】　図１
2004065222.tif 000002
【特許請求の範囲】
【請求項１】
１．花瓶の側周部を二重構造にして貯水部とする。
２．側周面の内側かつ下方に貯水部に通じる開口部を設け、貯水部から花瓶内への出水孔とする。
３．底面の外側に貯水部に通じる開口部を設け、貯水部への給水口とする。
４．前記給水口には着脱自在の密閉蓋を設ける。
以上のように構成されていることを特徴とする、底面給水機能を備えた花瓶。
【発明の詳細な説明】
【０００１】
【発明の属する技術分野】
この発明は、自動給水方式の花瓶に関するものである。
【０００２】
【従来の技術】
従来の花瓶は、大きさ、デザインの違いはあっても、構造的には単純な水容器である。したがって、切花等の植物を挿し、水をできるだけ多く入れたとしても、水の劣化による植物の痛みを避けるためには、ほぼ毎日のように水の交換をしなければならない。
【０００３】
【発明が解決しようとする課題】
本発明によって、花瓶自身に蓄えられた新鮮な水を、自動的に花瓶内の植物に必要な分だけを供給することによって、植物の健康を守りかつ水交換の手間を省くことが可能となる。
【０００４】
【課題を解決するための手段】
花瓶の側周部を二重構造にし、一定量の水を貯水することのできる貯水部とする。その貯水部の底面に、着脱自在の密閉蓋をもつ給水口を設ける。
また、花瓶の内側の下方部分に貯水部から花瓶内への出水孔を設ける。
【０００５】
まず、花瓶を逆様にし、給水口から水を入れる。給水口を密閉用蓋で密閉した後、花瓶を正常な姿勢に戻すと、貯水部の水の一部が出水孔から花瓶内に移動する。その移動は、花瓶内に移動した水の水位が出水孔を完全に塞ぐ位置、いわゆる定水位になるまで続く。そして、貯水部から花瓶内に移動した水が定水位になった時に、大気圧の作用により貯水部から花瓶内への水の移動は止まる。
【０００６】
当然、花瓶内の水量はわずかなものであるが、植物は切り口から水を吸収するのであり、実際、茎の切り口部分だけを浸す水量があれば十分なのである。
そして、植物が水を吸収し、その結果花瓶内の水位が下がり出水孔が空気中に多少でも露出したときに、再び貯水部の新鮮な水が花瓶内に、花瓶内の水が定水位になるまで移動する。このようにして、貯水部の水がなくなるまで、常に新鮮な水が花瓶内においてほぼ一定量に保たれるのである。
【０００７】
ここで、花瓶内に培土を入れれば、花瓶が底面給水式の植木鉢となる。
このように本発明は、自動給水式の花瓶としての利用と同時に、自動給水機能を持つ底面給水式植木鉢としても利用できることが大きな特徴の一つなのである。
【０００８】
【発明の実施の形態】
発明の実施の形態を図に基づいて説明する。図１において、円筒形の花瓶１の側周部が二重構造の貯水部２になっている。出水孔３は、花瓶の内側の下方部に設けられている。給水口４は底面に設けられている。ゴム等の弾性材料で作られた密閉蓋４−１は、給水口を密閉している。密閉蓋は、ネジ式の蓋形状にしてもよい。また、外形は、円筒形に限らず様々の形状が考えられる。
【０００９】
図１においては、花瓶内の水位は出水孔３を塞ぐ高さ、すなわち定水位になっており、この状態では貯水部２内の水は花瓶内に入ってこない。
次に、植物が水を消費した結果、図２のように水位が下がったとき、すなわち出水孔３が少しでも空気中に露出した時に貯水部２の水の花瓶内への移動が始まり、定水位に戻るまで移動が続く。この繰り返しで花瓶内には、少量ながら十分で新鮮な水が常にプールされるのである。
【００１０】
以上の図において、側周部だけでなく、底部も二重構造になっているが、図３のように、側周部だけが二重構造の貯水部であってもよい。
【００１１】
図４は、本発明が植木鉢として応用された場合の図である。カバーは、貯水部２に給水するとき、鉢を逆様にするので培土がこぼれないようにするためのものである。
【００１２】
【発明の効果】
花瓶内に、新鮮な水を、植物の消費に従ってほぼその分だけ自動的に供給する機能を持たせることによって、植物を長持ちさせる効果を実現するだけでなく、水遣りの手間を少なくすることができる。また、機構的にも極めて簡単であり低価格の商品を実現することができる。
【図面の簡単な説明】
【図１】本発明の正面断面図
【図２】花瓶内の水位が下がった時の断面図
【図３】底部が二重構造でない場合
【図４】本発明を底面給水式植木鉢に応用した場合の正面断面図
【符号の説明】
１　　　花瓶
２　　　貯水部
３　　　出水孔
４　　　給水口
４−１　密閉蓋
【図１】
2004065222.tif 000003
【図２】
2004065222.tif 000004
【図３】
2004065222.tif 000005
【図４】
2004065222.tif 000006
(57)【要約】【課題】拭われるものと手指の間で、汚物や細菌などの交換が行なわれない衛生的なティシュを提供する。【解決手段】。【課題を解決するための手段】上記の課題は、衛生ティシュを液体が浸透し得る多孔質層と、液体を浸透させない緻密層とにより構成することにより達成される。望ましい実施例においては、衛生ティシュは、一層の多孔質層と、一層の緻密層とを熱圧着することにより製造される。又、望ましい他の実施例においては、衛生ティシュは、一層の緻密層の表裏両面にそれぞれ多孔質層を熱圧着することにより製造される。【特許請求の範囲】
【請求項１】
液体が浸透し得る多孔質層と、液体を浸透させない緻密層とから成る衛生ティシュ。
【請求項２】
一層の多孔質層と、一層の緻密層とから成る請求項１に記載の衛生ティシュ。
【請求項３】
一層の緻密層の表裏両面にそれぞれ多孔質層を設けて成る請求項１に記載の衛生ティシュ。
【請求項４】
多孔質層が紙である請求項１ないし３の何れか一に記載の衛生ティシュ。
【請求項５】
多孔質層が発泡樹脂からなる請求項１ないし３の何れか一に記載の衛生ティシュ。
【請求項６】
多孔質層が不織布からなる請求項１ないし３の何れか一に記載の衛生ティシュ。
【請求項７】
多孔質層が生分解性樹脂からなる請求項５又は６に記載の衛生ティシュ。
【請求項８】
多孔質層がポリエチレン樹脂からなる請求項５又は６に記載の衛生ティシュ。
【請求項９】
緻密層が合成樹脂フィルムからなる請求項１ないし８の何れか一に記載の衛生ティシュ。
【請求項１０】
緻密層が生分解性樹脂フィルムからなる請求項９に記載の衛生ティシュ。
【請求項１１】
緻密層がポリエチレン樹脂フィルムからなる請求項９に記載の衛生ティシュ。
【請求項１２】
多孔質層が乾燥状態である、請求項１ないし１１の何れか一に記載の衛生ティシュ。
【請求項１３】
多孔質層に薬液を浸透させた、請求項１ないし１１の何れか一に記載の衛生ティシュ。
【請求項１４】
順次引き出し得るように組み合わせて折り畳まれ、容器に収容されたカットシートである、請求項１ないし１３の何れか一に記載の衛生ティシュ。
【請求項１５】
適宜の間隔でミシン目を入れてロール状に巻かれた長尺のシートである、請求項１ないし１３の何れか一に記載の衛生ティシュ。
【請求項１６】
適宜の間隔でミシン目を入れ、一端から順次引き出し得るよう九十九折して容器に収納された長尺のシートである、請求項１ないし１３の何れか一に記載の衛生ティシュ。
【発明の詳細な説明】
【０００１】
【発明が属する技術分野】
本発明は、新規な衛生ティシュに関する。尚、本明細書において、衛生ティッシュとは、所謂、ティッシュペーパー、ウエットティッシュ、ちり紙、鼻紙などのほか、キッチンタオル、テーブルナプキン、幼児用ナプキン、紙タオル、懐紙、お絞り、化粧紙、脂取紙、トイレットペーパーなど、水分を含むものに触れたり、そのようなものを拭いたりぬぐったりするのに用いられる紙製品、不織布製品および布製品の全てを包含するものとする。
【０００２】
【従来の技術】
従来のティッシュペーパーは、ドライタイプとウエットタイプがあるが、何れも紙又は不織布から成る一層のものであった。そのため、水分を容易に浸透させ、拭い取った汚物が反対側の面に浸出するという問題がある。
そのため、特にウエットティッシュで汚物を拭うと、手指に汚物のにおいが移ると言うことになる。又そのとき、手に付いていた細菌などが拭われた側の肌に移ると言う問題もある。
【０００３】
又、トイレットペーパーなどの使用時にも同様な問題があると言われている。用便後、手には大量の大腸菌などが付着することが知られている。手に付いた大腸菌などを洗い流すには、石鹸などを用いて入念に洗う必要があるが、そのようなことをする者は少ない。
キッチンタオルや懐紙などで、食器などの水滴を拭うと、手に付いている細菌などにより食器が汚染されることも知られている。
又、キッチンタオル、紙タオル、などを濡らして使用すると、同様な問題が生じる。
【０００４】
【発明が解決しようとする課題】
本発明は叙上の観点に立ってなされたものであって、使用時に、拭われるものと手指の間で、汚物や細菌などの交換が行なわれない衛生的なティッシュ、即ち衛生ティシュを提供することにある。
【０００５】
【課題を解決するための手段】
上記の課題は、衛生ティシュを液体が浸透し得る多孔質層と、液体を浸透させない緻密層とにより構成することにより達成される。
【０００６】
【発明の実施の形態】
望ましい実施例においては、衛生ティシュは、一層の多孔質層と、一層の緻密層とを熱圧着することにより製造される。
又、望ましい他の実施例においては、衛生ティシュは、一層の緻密層の表裏両面にそれぞれ多孔質層を熱圧着することにより製造される。
【０００７】
多孔質層の材料としては、紙、発泡樹脂シート、不織布又はそれらの類似品が用いられる。合成樹脂を用いる場合には、特に限定はされないが、ポリ乳酸のような生分解性樹脂を用いることが推奨される。
【０００８】
緻密層の材料としては、熱可塑性合成樹脂フィルム、特に、ポリ乳酸のような生分解性樹脂フィルムが推奨されるが、材質はこれに限定されるものではない。要するに、柔軟で、実質的に水分を透過しないものであり、廃棄時に環境負荷の少ないものであれば良い。又フィルムの厚さも技術的に許される限り、薄いほうが望ましい。通常市販されている、食品用ラップフィルム程度でも実用に耐える。緻密層と多孔質層を張り合わせるには、公知のヒートロール又は接着剤が好適である。
【０００９】
これらの衛生ティシュは、多孔質層が乾燥状態にあるドライティシュとしても良く、多孔質層に薬液を浸透させたウエットティシュとして提供しても良い。
【００１０】
商品の形態としては、カットシートを順次引き出し得るように組み合わせて折り畳み、箱型等の容器に収容した形態、即ち、通常、ティシュペーパ−、ウエットティシュ、ポケットティシューなどとして市販されている形態で提供することが推奨される。
【００１１】
又、用途によっては、長尺のシートに適宜の間隔でミシン目を入れてロール状に巻いたトイレットペーパタイプ、一端から順次引き出し得るよう九十九折して容器に収納したタイプのものとすることができる。
【００１２】
頭記の如く、本発明に係る衛生ティシュは、所謂、ティッシュペーパー、ウエットティッシュ、ちり紙、鼻紙などのほか、キッチンタオル、テーブルナプキン、幼児用ナプキン、紙タオル、懐紙、お絞り、化粧紙、脂取紙、トイレットペーパーなど、水分を含むものに触れたり、そのようなものを拭いたりぬぐったりするのに用いられる紙製品、不織布製品および布製品として使用されるものである。
【００１３】
したがって商品及び包装の形態、多孔質層の材質、寸法、厚み、空隙率、ウエットティッシュに用いる薬剤、添加物などは、公知の上市されているもの及びその類似品のそれらを全て利用できるものである。
【００１４】
【発明の効果】
本発明は叙上の如く構成されるから、本発明によるときは、衛生的なティッシュを提供でき、特にウエットタイプのトイレットペーパなどは高齢者や肛門に病変のある患者にとって好適である。本発明は容易に実施でき、実施すれば衛生状態の向上に資することができ、多大の利益がある。
(57)【要約】【課題】本発明は茄子等の苗を、簡単な作業で、風や重さによっても倒れることがなく、且枝や葉も集中することなくして日当たりや風通しを良くし、品質良い茄子等の多収穫を計ろうとするものである。【解決手段】Ｙ字型の支柱本体の一対の上腕部には、各々高低差のある位置に掛止部を設けて紐或はロープの位置決めを自在とし、下部支柱部は土中への埋め込みを自在とした植物栽培用支柱である。【選択図】　図１
2004065206.tif 000002
【特許請求の範囲】
【請求項１】
Ｙ字型の支柱本体の一対の上腕部には、各々高低差のある位置に掛止部を設けて紐或はロープの位置決めを自在とし、下部支柱部は土中への埋め込みを自在とした植物栽培用支柱。
【発明の詳細な説明】
【０００１】
【産業上の利用分野】
本発明は茄子、唐辛子などの植物の栽培に使用するものである。
【０００２】
【従来の技術及びその欠点】
従来の茄子等の栽培に際しては、枝が広がって一定の大きさに育つと支柱を土中に突き刺して茎或は枝を紐で結わいたり吊りさげる等して、実の重さによって枝が折れたり、風によって倒されることのないよう工夫を凝らしている。
【０００３】
然し乍ら苗ごとに支柱を立てるなどの作業が困難であると同時に不安定で倒れることが多く、又枝や葉が集中し日の当たりや風通しが悪くなって収穫量が少なくなったり、実も損傷しやすく、良い収穫の望めないことが多い。
【０００４】
【本発明が解決しようとする課題】
そこで本発明は茄子等の苗を、簡単な作業で、風や重さによっても倒れることがなく、且枝や葉も集中することなくして日当たりや風通しを良くし、品質良い茄子等の多収穫を計ろうとするものである。
【０００５】
【問題点を解決するための手段】
本発明は、Ｙ字型の支柱本体の一対の上腕部には、各々高低差のある位置に掛止部を設けて紐或はロープの位置決めを自在とし、下部支柱部は土中への埋め込みを自在とした植物栽培用支柱である。
【０００６】
【実施例】
本発明を図示の実施例により詳記すると、Ｙ字型の支柱本体１の一対の上腕部２，２には、各々高低差のある位置にリング状の掛止部３、３…を設け、この掛止部に紐或はロープ４を挿通して該紐或はロープの位置決めを自在とし、下部支柱部５は畝などの土中への埋め込みを自在としたものである。
【０００７】
茄子栽培にあっては、上腕部２，２の最大広がり幅は約１ｍ、上腕部２，２の夫々の長さは約８３ｃｍ、掛止部３，３の間隔は約２７ｃｍ、下部支柱部５の長さは約７０ｃｍが良い。これらは植物の種類や土地などの諸条件により適宜変えることができる。
【０００８】
上腕部２、２と下部支柱部５は、その交差部分に図示しない接続金具を介して組立式とし、コンパクトにして不使用時には収納できるようにするのが望ましく、又掛止部３、３の形状はリング状のほかフック状や、紐リング等汎用のものでよく、又上腕部に溝、穴などの掛止部を直接設けるようにしても良い。
【０００９】
【作用】
これを使用するには、約５５ｃｍ間隔ごとに茄子等の苗６、６…を５本位を列状に植え、その両端位置の土中に支柱本体１の下部支柱部５を倒れないように埋め込み固定して互いの上腕部２、２を対向させ、対応する掛止部２、２に紐或はロープ４を張設する。適当に枝が伸びた段階でこれらの枝を適当な高さの位置にある紐或はロープ４の上に載せるよう手作業により誘導する。自然に紐或はロープ４上に伸びて載っている枝は誘導する必要がない。
【００１０】
下部支柱部５を直接土中に刺し込み固定することが困難な場合は、支柱本体１の外側に杭６を打ち込み固定し、紐或はロープ４の端部を杭６に固定するようにする。
【００１１】
又苗の列方向に伸びた枝には対向する紐或はロープ間に木や紐或はロープなどの横支えを施しても良い。
【００１２】
【効果】
叙上のように、Ｙ字型の支柱本体の一対の上腕部には、各々高低差のある位置に掛止部を設けて紐或はロープの位置決めを自在とし、下部支柱部は土中への埋め込みを自在としたので、茄子等の苗を列状に植えた両端位置の土中に、下部支柱部を突き刺し固定し、紐或はロープ掛止部に位置決めして張設するのみで作業を終えることができ、且苗が大きくなるにしたがって枝は、張設された紐或はロープ上に載せるように誘導してやればバラケタ状態になって支えられ、茄子等の実の重さによって枝が裂けたり、折れたりすることなく、又風によって倒れることもなく、且日当たりや風通しもよく品質の良い茄子等の多収穫を計ることができる。
【図面の簡単な説明】
【図１】本発明に係る植物栽培用支柱の正面説明図。
【図２】本発明に係る植物栽培用支柱の使用状態の説明図。
【符号の説明】
１は支柱本体
２は上腕部
３、３…は掛止部
４は紐或はロープ
５は下部支柱部
６は杭
【図１】
2004065206.tif 000003
【図２】
2004065206.tif 000004
(57)【要約】【課題】アルミ薬またはアクリルミラーは、日昇とともに反射光による眩しさが発生するため、ミラーの大きさや周辺の環境に配慮し設置する。【解決手段】アルミ薬またはアクリルミラーの設置事前に、周辺の環境調査を行い、カラスの飛来ルートやねぐら、営巣の存在の調査によってミラーの種類や場所を選定する。高所低所の設置については、本体と別に本体を２枚合わせＶ字型と逆Ｖ字型とし、それぞれの間隔を調整し吊り下げることで、相互の回転反射ミラーの反射光を分散させ、防烏範囲の高低幅の拡大をはかる。【選択図】　図１
2004065233.tif 000002
【特許請求の範囲】
【請求項１】
（イ）楕円形または長方形のアルミ薬またはアクリルミラー本体（１）を設ける。
（ロ）本体（１）左右に円形の赤枠（２）ミラー（３）を設け、下地は黒を設ける。
（ハ）本体（１）と別に、本体（１）２枚を合わせＶ字形と逆Ｖ字型を設ける。（ニ）本体（１）上部中間に吊穴（７）を設ける。
（ホ）大小二種類の本体（１）またはＶ字型と逆Ｖ字型を、平行棒（４）に回転カン（５）を用いて吊糸（６）で左右均等に吊し、相互に回転反射させる。
（ヘ）大小三種類の本体（１）およびＶ字型と逆Ｖ字型を吊した平行棒（４）に、回転カン（５）を用いて吊糸（７）で左右均等に吊し、相互に回転反射させる。
（ト）吊糸（４）の結び目には、黄色の蛍光テープ（８）を設ける。
以上の如く構成された、防鳥用イーグルミラーである。
【発明の詳細な説明】
【０００１】
【発明の属する技術分野】
このたび、カラスの集団飛来の防御策として、カラスの警戒心と天敵である大型鳥類の双眼に似せ、アルミ薬またはアクリルミラーの本体（１）の下地に黒を設ける。本体（１）左右に円形の赤枠（２）ミラー（３）を設け、上部中間に吊り穴（７）を設ける。本体（１）とは別に、本体（１）２枚を合わせ、Ｖ字型と逆Ｖ字型とし、それぞれ間隔を調整する。
本体（１）またはＶ字型と逆Ｖ字型を平行棒（４）に、強風などで回転し吊糸がねじ切れないよう回転カン（５）を用いて吊糸（６）で左右に吊し、さらに、平行棒（４）に回転カン（６）を用いて左右均等に吊糸（６）で吊し、吊糸の結び目には黄色蛍光テープ（８）を巻き、相互に回転反射させ、あたかも浮遊状態とし、防烏範囲を拡大させるものである。
名称は「イーグルミラー」とした。
【０００２】
【従来の技術】
現在、カラスの被害対策は、東京都ではカラスの抑制策として、トラップによる捕獲や防烏ネットの配布、ゴミ減量を訴え、一般には、１００種類あるといわれるカラス避けグッズで防御策をしているが、あまり効果が見られていない。
また、鳥類から感染するオウム病（クラミジア）には、小鳥を食餌するカラスやハトも保菌しており、感染経路が分泌物や排出物（フン）であるが集団飛来によるフンの大量落下には対応ができていない。
【０００３】
【発明が解決しようとする課題】
本案は、その欠点を除くため、カラスの集団飛来の防御策として、カラスの警戒心と天敵である大型鳥類の双眼に似せ、大中小のミラーを吊下げ、相互に回転反射させ、あたかも浮遊しているかのように見せ、地域へのカラスの集団飛来を防御し、ねぐらや営巣を排除するものである。
【０００４】
【課題を解決するための手段】
その解決手段を図面により説明すれば、
（イ）楕円形または長方形のアルミ薬またはアクリルミラー本体（１）を設ける。
（ロ）本体（１）左右に円形の赤枠（２）ミラー（３）を設け、下地は黒を設ける。
（ハ）本体（１）と別に、本体（１）２枚を合わせ、Ｖ字形と逆をＶ字形設ける。
（ニ）本体（１）上部中間に吊穴（７）を設ける。
（ホ）本体（１）およびＶ字形と逆Ｖ字形を、平行棒（４）に、強風などで回転し吊糸がねじ切れないよう回転カン（５）を用いて吊糸（６）で左右均等に吊す。相互に回転反射させる。
（ヘ）本体（１）の吊糸（６）の結び目には黄色の蛍光テープ（８）を設け、本体（１）を相互に反射回転させ、あたかも浮遊状態かのように見せ、さらに防烏範囲の高低幅を拡大させるものである。
以上の如く構成された、防鳥用イーグルミラーである。
【０００５】
【発明の実施の形態】
本案は、以上のような構造であるから、これを使用するときには、取合えず、カラスやハトのねぐらや既存の営巣周辺、集団飛来地域に設置し、カラスの集団を防御することは、鳴き声などの煩音を防ぎ、オウム病の感染源である排泄物などの大量のフンの落下を防ぎ、カラスのねぐらや巣造りの防御によって、ヒナ育成期の威嚇、攻撃を防ぎ、ヒトの安全と恐怖心を取除き、また、ゴミ収集場所のカラスの採餌を防止させようとするものである。
【０００６】
【発明の効果】
本案のイーグルミラーは、本年２月１１日からテストを開始、カラスの集団飛来の防御効果が見られたので，４月下旬から、渋谷区上原および世田谷区北沢の一部地域（約１．２ｋｍ２）を特定し、１０カ所、３１個のイーグルミラーのテスト設置依頼し、当初から約６カ月間経過、次の如きことができた。
（イ）ミラーの設置は固定しているが、ミラー本体が吊糸で吊しているため、浮遊状態のように見え、相互に回転、高低にも反射するため、防烏範囲が拡大した。
（ロ）ミラーの設置場所にもよるが、約５０〜１００ｍ範囲では、カラスが集団飛来（集団とは１０羽以上をいう）しても、上空を通過、反転し、留まることは全くなくなった。約５０〜１００ｍ以遠にはカラスの集団飛来や鳴き声などが観察できることから、このミラーの有効性が確められた。
（ハ）ミラーの設置したゴミ置場には、カラスは飛来せず、生ゴミのあさりや散乱がなくなった。
（ニ）集団による大量のフンの落下がなくなった。
（ホ）同時に集団で飛来し、留まっていたハトやスズメも全く飛来しなくなった。
【図面の簡単な説明】
【図１】本発明の正面図
【図２】本発明の断面図
【符号の説明】
（１）は、下地黒の本体
（２）は、円形の赤枠
（３）は、ミラー
（４）は、平行棒
（５）は、回転カン
（６）は、吊糸
（７）は、吊穴
（８）は、黄色の蛍光テープ
【図１】
2004065233.tif 000003
【図２】
2004065233.tif 000004
(57)【要約】【課題】一度に色々な調理飯を家庭でもっと食べやすく、調理しやすく、また色々な場所へ持ち運んで食べられ易くする腸詰め調理飯を提供する。【解決手段】焼き飯、ドライカレー、チキンライス、おこわご飯、炊き込みご飯などの調理飯（１）を腸内に詰めやすく、また食べる際にくずれにくくするためにつなぎ（３）を混入した上で、ソーセージ風に腸詰め（２）にすることを特徴とする。【選択図】　図１
2004065231.tif 000002
【特許請求の範囲】
【請求項１】
焼き飯、ドライカレー、チキンライス、おこわ飯、炊き込みご飯などの調理飯をソーセージ風に腸詰めにした調理飯。
【請求項２】
調理飯がミンチ機と射出部及び腸をスムーズに通過出来るように、また食べる時くずれにくくするために調理飯につなぎを混ぜ込んだことを特徴とする、請求項１記載のソーセージ風腸詰め調理飯。
【発明の詳細な説明】
【０００１】
【発明の属する技術分野】
この発明は焼き飯などの調理飯（１）をソーセージ風に腸詰めにした調理飯（２）に関するものである。
【０００２】
【従来の技術】
従来、焼き飯などの調理飯（１）は、料理として皿などに盛り食べられていた。
【０００３】
【発明が解決しようとする課題】
焼き飯などの調理飯（１）は、レストランなどではひとつの料理として量もかなりあり、チキンライスも食べたいからと両方注文するのは難しかった。また、数種類の調理飯（１）をお弁当に入れたり、おむすびにするのも難しくどうしても決まった食べ方になってしまっていた。本発明は、これらの欠点を解決するために発明されたものである。
【０００４】
【課題を解決するための手段】
つなぎ（３）をまぜた調理飯（１）をさましたのちミンチ機（５）に入れ、射出部（６）に腸（４）を取り付け射出してソーセージ風に腸詰め調理飯（２）にする。
【０００５】
【発明の実施の形態】
以下、発明の実施の形態について説明する。
イ．焼き飯、チキンライス、ドライカレー、おこわ飯、炊き込みご飯など調理飯（１）を作る。
ロ．調理飯（１）がミンチ機（５）などを通過し易くするため、また、食べる時くずれにくくするために、調理飯（１）がまだ少し温かいうちに山芋をすったものや生卵などをつなぎ（３）として調理飯（１）に混ぜ込む。
ハ．調理飯（１）がスムーズに通過するようにミンチ機（５）の射出プレート（７）の穴を大きなものにする。
ニ．ミンチ機（５）の射出部（６）に腸（４）を取り付ける。
ホ．調理飯（１）をさましたあと、ミンチ機（５）の投入口（８）から調理飯（１）を入れ射出部（６）に取り付けた腸（４）全部に調理飯（１）を詰め込む。詰め終えたら適当な長さでねじって分け、それぞれねじったところを糸で結びソーセージ状にする。
ヘ．なお、本発明におけるミンチ機（５）は通常もちいられる豚肉等をミンチ状にするミンチ機と若干構造を異にし、調理飯を細分化してしまわないように射出部内に刃が形成されていない構造を採用している。
【０００６】
【発明の効果】
１．一個当たりの量が少ないので色々な調理飯を一度に食べることが出来る。
２．焼いたり炒めたりするだけなので、調理が簡単になり家庭で食べやすくなる。
３．ソーセージのような形になるので、持ち運びが簡単になりハイキングのお弁当などに入れやすくなる。
４．調理飯は一般に調理後すぐ食べるのが普通だったが、ソーセージ同様に冷蔵保存しやすくなり、食べる時は焼いたり炒めたりすれば香ばしさが出てよりおいしく食べられる。
５．出来上がったものを茹でたり、焼いたり、炒めたりするだけなので、調理が早く簡単になるのでファストフード店やファミリーレストランなどでも提供しやすくなる。
【図面の簡単な説明】
【図１】本発明の製造状態を示す側面図
【図２】本発明の調理飯につなぎを混ぜる状態を示す側面図
【符号の説明】
１　調理飯
２　腸詰めにした調理飯
３　つなぎ
４　腸
５　ミンチ機
６　射出部
７　射出プレート
８　投入口
【図１】
2004065231.tif 000003
【図２】
2004065231.tif 000004